(57)【要約】【課題】  脚体４を閉じたときの厚さを従来より大幅に薄くでき、輸送費を大幅に低減でき、保管場所の確保も非常に容易になる自立可能立て看板を提供する。【解決手段】本体２の左右の本体縦枠５の中間部に本体横材７を渡す。この本体横材７は、帯状の板材からなり、本体２の左右の本体縦枠５間を延びる中間部７ａと、この中間部７ａの両端部から後方側に折り曲げられており、かつそれぞれ左右の本体縦枠５に取り付けられている被取付片部７ｂとを有している。脚体４が本体２に対し閉じられたとき、脚体４の左右の脚体縦材１０が本体２の左右の本体縦枠５の間かつ本体横材７の左右の被取付片部７ｂの間に収容された状態となるようにする。【選択図】図１４
2020187289.tif 000002
【特許請求の範囲】
【請求項１】
本体と、この本体に取り付けられた、可視情報を担持している可視情報担持板と、上端部を前記本体に、横方向に延びる回動軸を中心として、一定範囲内において回動可能に支持されている脚体とを有してなり、前記本体に対し前記脚体を開いた状態で自立させることも、前記本体に対し前記脚体を閉じることもできるようになっている自立可能立て看板において、
前記本体は、左右の本体縦枠と、前記左右の本体縦枠の上下方向中間部間に渡された本体横材とを有してなり、
前記本体横材は、帯状の板材からなり、前記可視情報担持板と実質的に平行な細長い面をなすようにして、前記左右の本体縦枠間を延びる中間部と、この中間部の両端部から前記可視情報担持板から離れる方向に折り曲げられており、かつそれぞれ前記左右の本体縦枠に取り付けられている左右の被取付片部とを有してなり、
前記脚体は、左右の脚体縦材と、これらの左右の脚体縦材間に渡された脚体横材とを有してなり、
前記脚体は、前記左右の脚体縦材が前記本体の前記左右の本体縦枠の間かつ前記本体横材の前記左右の被取付片部間に収容された状態で、前記本体に対し閉じられるようになっている自立可能立て看板。
【請求項２】
前記可視情報担持板とそれぞれ実質的に平行な面をなす前方片部および後方片部と、これらの前方片部および後方片部の間に位置し、前記前方片部および前記後方片部に対し実質的に直角に折れ曲がっており、かつ前記本体の前記左右の本体縦枠の上下方向中間部内側に取り付けられた被取付片部とをそれぞれ有する左右のストッパ具を有し、
前記脚体の左右の脚体縦材の上端は該脚体縦材の長さ方向に対し斜めをなしており、
前記脚体を前記本体に対し開き方向に回動して行くと、前記左右の脚体縦材の上端が前記左右のストッパ具の前記前方片部に当接されることにより、前記脚体が前記本体に対しそれ以上開き方向に回動できなくなり、前記脚体が前記本体に対し最大開かれた状態となるようになっている請求項１記載の自立可能立て看板。
【請求項３】
前記脚体を前記本体に対し開き方向に回動して行くと、前記左右の脚体縦材の上端が前記左右のストッパ具の前記前方片部に当接されると同時に前記左右の脚体縦材の後方面１０ｂが前記左右のストッパ具の前記後方片部の下端に当接することによっても、前記脚体が前記本体に対しそれ以上開き方向に回動できなくなり、前記脚体が前記本体に対し最大開かれた状態となるようになっている請求項２記載の自立可能立て看板。
【請求項４】
前記左右のストッパ具の前記後方片部に巻き掛け体挿通孔が明けられており、前記本体に対し前記脚体が閉じられた状態において、当該自立可能立て看板の背面側を被取付体に当てるとともに前記左右のストッパ具の前記巻き掛け体挿通孔に巻き掛け体を挿通して前記被取付体に巻き掛けることにより、前記被取付体に対し当該自立可能立て看板を取り付けることができるようになっている請求項２または３記載の自立可能立て看板。
【発明の詳細な説明】
【技術分野】
【０００１】
本発明は、本体に対し脚体を開閉でき、脚体を開いて自立させることも、脚体を閉じた状態でバンドや針金等の巻き掛け体を使用して電柱、電信柱等に縛り付けることもできる、道路工事現場等で使用される自立可能立て看板に関する。
【背景技術】
【０００２】
従来のこの種の自立可能立て看板は、例えば特許文献１に開示されている。
【０００３】
従来より、この種の自立可能立て看板は基本的に次のように構成されていた（なお、以下特許文献１に使用されている用語とは異なる用語を使用するので、特許文献１の参照を容易にするため、括弧内に特許文献１で使用されている用語および符号を示す）。文字、記号、絵、模様等の可視情報を表示する可視情報担持板（表面板５）を取り付けられる本体（表示パネル２）と、脚体（支持脚３）とを有してなり、脚体（支持脚３）の上端部は本体（表示パネル２）に、横方向に延びる回動軸（軸２０）を中心として、一定範囲内において回動可能に支持されており、自立させるときは、特許文献１の図２のように、本体（表示パネル２）に対し脚体（支持脚３）を開いた状態で、本体（表示パネル２）および脚体（支持脚３）の下端部を接地することにより、設置面上に自立させることができる一方、収納時および運搬時等の不使用時並びに電柱、電信柱等にバンドや針金等の巻き掛け体で縛り付ける場合は、特許文献１の図３のように、本体（表示パネル２）に対し脚体（支持脚３）を閉じることができるようになっている。
【先行技術文献】
【特許文献】
【０００４】
【特許文献１】特開平９−２３７０４８号公報
【発明の概要】
【発明が解決しようとする課題】
【０００５】
しかしながら、従来の自立可能立て看板においては、本体（表示パネル２）および脚体（支持脚３）の両方が同じ太さの横断面四角形状の角パイプ材を組み合わせて構成されていて、かつ本体（表示パネル２）の幅と脚体（支持脚３）の幅とが同じ大きさとされており、折り畳んだとき、特許文献１の図３に示されるように、本体（表示パネル２）および脚体（支持脚３）の両側端部が可視情報担持板（表面板５）に対し垂直な方向に互いに重なりあった状態となるようになっていたので、脚体（支持脚３）を閉じたときの看板の厚みは前記角パイプ材の太さの倍以上の厚みとなっていた。
【０００６】
このため、トラック等の車両に積んで輸送する際、積み込める台数が少なく、仕入・出荷発送料等の輸送費の増大を招いていた。
【０００７】
また、看板を保管する際も、保管場所の占有面積が大きくなり、保管場所の確保が大きな負担となっていた。
【０００８】
また、輸送時や保管時に看板を横に倒した状態で積み重ねる場合、使用時における上端側は本体（表示パネル２）のみの厚さしかない一方、使用時における下端側は本体（表示パネル２）と脚体（支持脚３）とが重なった厚さとなっているので、各看板を全部同じ向きにして積み重ねると、不安定な積み重ね状態になってしまうため、看板の向きを１つ毎に逆にして積み重ねばならず、積み重ね作業に非常に手間が掛かっていた。
【０００９】
さらに、脚体を閉じた状態でバンドや針金等の巻き掛け体を使用して電柱、電信柱等の被取付物に縛り付ける場合、設置する歩道や車道側帯などに被取付物から張り出す部分が大きくなっていた。特に、本体（表示パネル２）と脚体（支持脚３）とが重なっていることにより、看板を被取付物にきちんと密着して取り付けることが困難であったので、張り出し部分が余計に大きくなっており、安全上大きな問題となっていた。しかるに、公共の場における「安全」への社会の要請は年々厳しくなっており、早急な事態の改善が望まれていた。
【００１０】
また、従来の自立可能立て看板においては、バンドや針金等の巻き掛け体を使用して電柱、電信柱等に縛り付ける際、作業に非常に手間が掛かるとともに、巻き掛け体以外の部品も別途必要になることが多いという問題もあった。
【００１１】
本発明は、このような従来の事情に鑑みてなされたもので、本発明の目的の一つは、脚体を閉じた状態における厚さを薄くすることができる自立可能立て看板を提供することにある。
【００１２】
本発明の他の目的は、バンドや針金等の巻き掛け体を使用して電柱、電信柱等に縛り付ける際、作業を容易かつ迅速に行うことができるとともに、巻き掛け体以外に別途部品が必要になることもない自立可能立て看板を提供することにある。
【００１３】
本発明のさらに他の目的は、以下の説明から明らかになろう。
【課題を解決するための手段】
【００１４】
請求項１に係る本発明による自立可能立て看板は、
本体と、この本体に取り付けられた、可視情報を担持している可視情報担持板と、上端部を前記本体に、横方向に延びる回動軸を中心として、一定範囲内において回動可能に支持されている脚体とを有してなり、前記本体に対し前記脚体を開いた状態で自立させることも、前記本体に対し前記脚体を閉じることもできるようになっている自立可能立て看板において、
前記本体は、左右の本体縦枠と、前記左右の本体縦枠の上下方向中間部間に渡された本体横材とを有してなり、
前記本体横材は、帯状の板材からなり、前記可視情報担持板と実質的に平行な細長い面をなすようにして、前記左右の本体縦枠間を延びる中間部と、この中間部の両端部から前記可視情報担持板から離れる方向に折り曲げられており、かつそれぞれ前記左右の本体縦枠に取り付けられている左右の被取付片部とを有してなり、
前記脚体は、左右の脚体縦材と、これらの左右の脚体縦材間に渡された脚体横材とを有してなり、
前記脚体は、前記左右の脚体縦材が前記本体の前記左右の本体縦枠の間かつ前記本体横材の前記左右の被取付片部間に収容された状態で、前記本体に対し閉じられるようになっているものである。
【００１５】
この請求項１に係る本発明によれば、本体に対し脚体を閉じたとき、脚体が本体の左右の本体縦枠の内側に収容されるので、脚体を閉じた状態の看板の厚さは本体の厚みのみとなるため、折り畳み時の看板の厚さを従来より大幅に薄くすることができる。
【００１６】
このため、トラック等の車両に積んで輸送する際、積み込める台数が大幅に多くなり、輸送費を大幅に低減することができる。
【００１７】
また、看板を保管する際も、保管場所の占有面積を大幅に小さくすることができ、保管場所の確保が非常に容易となる。
【００１８】
また、脚体を閉じた状態では看板は上端から下端まで同じ厚さになるので、看板を横に倒した状態で積み重ねる際、各看板を全部同じ向きにして積み重ねても、安定に積み重ねることができる。したがって、積み重ね作業を迅速に行うことができるようになる。
【００１９】
さらに、脚体を閉じた状態で、バンドや針金等の巻き掛け体を使用して電柱、電信柱等の被取付物に縛り付ける場合、折り畳み時の看板の厚さは本体の厚みのみとなるため、設置する歩道や車道側帯などに被取付物から張り出す部分を小さくすることができる。さらに、可視情報担持板に対し垂直な方向に関し本体と脚体とが重なっていないので、看板を被取付物にきちんと密着して取り付けることが容易になり、これによっても張り出し部分を小さくすることができる。
【００２０】
請求項２に係る本発明による自立可能立て看板は、請求項１に係る本発明において、
前記可視情報担持板とそれぞれ実質的に平行な面をなす前方片部および後方片部と、これらの前方片部および後方片部の間に位置し、前記前方片部および前記後方片部に対し実質的に直角に折れ曲がっており、かつ前記本体の前記左右の本体縦枠の上下方向中間部内側に取り付けられた被取付片部とをそれぞれ有する左右のストッパ具を有し、
前記脚体の左右の脚体縦材の上端は該脚体縦材の長さ方向に対し斜めをなしており、
前記脚体を前記本体に対し開き方向に回動して行くと、前記左右の脚体縦材の上端が前記左右のストッパ具の前記前方片部に当接されることにより、前記脚体が前記本体に対しそれ以上開き方向に回動できなくなり、前記脚体が前記本体に対し最大開かれた状態となるようになっているものである。
【００２１】
従来の自立可能立て看板においては、脚体を本体に対し開き方向に回動して行くと、斜めに切断されている脚体の左右の脚体縦材（枠材１８）の上端が本体（表示パネル２）の左右の本体縦枠（縦枠材１０）に当接することにより、脚体が本体に対しそれ以上開き方向に回動できなくなり、脚体が本体に対し最大開かれた状態となるようになっていた。本発明においては、本体の幅と脚体の幅が異なるので、そのような従来の構成を取ることはできない。
【００２２】
この請求項２に係る本発明によれば、請求項１に係る本発明の構成を採用しつつ、本体に対する脚体の回動角度を制限することができる。また、脚体を本体に対し開き方向に回動したときに、脚体縦材の上端がストッパ具の前方辺部に当接されるので、可視情報担持板が脚体縦材の上端に押されて変形しないようにすることができる。
【００２３】
請求項３に係る本発明による自立可能立て看板は、請求項２に係る本発明において、
前記脚体を前記本体に対し開き方向に回動して行くと、前記左右の脚体縦材の上端が前記左右のストッパ具の前記前方片部に当接されると同時に前記左右の脚体縦材の後方面が前記左右のストッパ具の前記後方片部の下端に当接することによっても、前記脚体が前記本体に対しそれ以上開き方向に回動できなくなり、前記脚体が前記本体に対し最大開かれた状態となるようになっているものである。
【００２４】
この請求項３に係る本発明によれば、脚体を本体に対し開き方向に回動して行くと、左右の脚体縦材の上端が左右のストッパ具の前方片部に当接されるのみならず、同時に左右の脚体縦材の後方面が左右のストッパ具の後方片部の下端にも当接するので、より強固に脚体を所定角度開いた状態に維持することができる。
【００２５】
請求項４に係る本発明による自立可能立て看板は、請求項２または３に係る本発明において、
前記左右のストッパ具の前記後方片部に巻き掛け体挿通孔が明けられており、前記本体に対し前記脚体が閉じられた状態において、当該自立可能立て看板の背面側を被取付体に当てるとともに前記左右のストッパ具の前記巻き掛け体挿通孔に巻き掛け体を挿通して前記被取付体に巻き掛けることにより、前記被取付体に対し当該自立可能立て看板を取り付けることができるようになっているものである。
【００２６】
この請求項４に係る本発明によれば、簡単かつ迅速に電柱、電信柱等の被取付体に看板を取り付けることができる。また、巻き掛け体以外に別途部品が必要になることもない。
【発明の効果】
【００２７】
本発明の自立可能立て看板は、
（イ）本体に対し脚体を閉じたときの看板の厚さは、本体の厚みのみとなるため、従来より大幅に薄くすることができる、
（ロ）このため、トラック等の車両に積んで輸送する際、積み込める台数が大幅に多くなり、輸送費を大幅に低減することができる、
（ハ）看板を保管する際も、保管場所の占有面積を大幅に小さくすることができ、保管場所の確保が非常に容易となる、
（ニ）脚体を閉じた状態では、看板は上端から下端まで同じ厚さになるので、横に倒した状態で積み重ねる際、各看板を全部同じ向きにして積み重ねても安定に積み重ねることができ、したがって、積み重ね作業を迅速に行うことができるようになる、
（ホ）さらに、脚体を閉じた状態で、バンドや針金等の巻き掛け体を使用して電柱、電信柱等の被取付物に縛り付ける場合、設置する歩道や車道側帯などに被取付物から張り出す部分を小さくすることができる。特に、可視情報担持板に対し垂直な方向に関し本体と脚体とが重なっていないので、看板を被取付物にきちんと密着して取り付けることが容易になり、これによっても張り出し部分を小さくすることができる、
等の優れた効果を得られるものである。
【図面の簡単な説明】
【００２８】
【図１】本発明の自立可能立て看板の一実施例を閉じた状態において示す正面図である。
【図２】前記実施例を閉じた状態において示す背面図である。
【図３】前記実施例を閉じた状態において示す側面図である。
【図４】前記実施例を閉じた状態において示す拡大平面図である。
【図５】図４のＶ−Ｖ部分拡大図である。
【図６】前記実施例を示す拡大底面図である。
【図７】図６のＶＩＩ−ＶＩＩ部分拡大図である。
【図８】図２のＶＩＩＩ−ＶＩＩＩ線における拡大断面図である。
【図９】前記実施例における中間横材を示す拡大斜視図である。
【図１０】前記実施例におけるストッパ具を示す拡大斜視図である。
【図１１】前記実施例におけるストッパ具を示す拡大側面図である。
【図１２】前記実施例を脚部を開いた状態において示す側面図である。
【図１３】前記実施例を脚部を開いた状態において示す前方斜視図である。
【図１４】前記実施例を脚部を開いた状態において示す後方斜視図である。
【図１５】図１４のＡ方向矢視図である。
【図１６】ストッパ具の巻き掛け体挿通孔に巻き掛け体を挿通して被取付体に巻き掛け、被取付体に前記実施例を縛り付けた状態を示す水平断面図である。
【図１７】図１６の一部を拡大して示す拡大断面図である。
【図１８】前記実施例の本体の下側の中間横材と枠体の下側の脚体横材とにウェイト台を介してウェイトを載せた状態を示す斜視図である。
【発明を実施するための形態】
【００２９】
以下、本発明を図面に示す実施例に基づいて説明する。
【実施例】
【００３０】
図１〜１８は、本発明の一実施例を示す。図１〜４は本実施例の自立可能立て看板１を閉じた状態で示した全体図である一方、図１２〜１４は本実施例の自立可能立て看板１を開いた状態で示した全体図である。
【００３１】
図２，１３および１４によく示されているように、前記立て看板１は、本体２と、この本体２に取り付けられた可視情報担持板３と、脚体４とを有してなる。
【００３２】
前記本体２は、図２および１４によく示されているように、それぞれ金属製の角パイプ材からなる左右の本体縦枠５と、これらの左右の本体縦枠５の上端間に渡された本体縦枠５と同じ太さの金属製の角パイプ材からなる本体上端横枠６と、図１４によく示されているように前記左右の本体縦枠５の上下方向中間部間に渡された金属製の帯状材からなる２本の本体横材７とを有してなる。
【００３３】
前記２本の本体横材７は、図８，９および１４によく示されているように、次に詳しく説明する可視情報担持板３と実質的に平行な細長い面をなすようにして左右の本体縦枠５間を直線状に延びる中間部７ａと、この中間部７ａの両端部から可視情報担持板３から離れる方向に実質的に直角に折り曲げられた被取付片部７ｂとを有しており、これらの被取付片部７ｂは左右の本体縦枠５の内側面に隅肉溶接により取り付けられている。
【００３４】
前記可視情報担持板３は、薄い金属板からなり、左右の本体縦枠５と本体上端横枠６の前面にネジ止め、スポット溶接または接着等により取り付けられている（なお、可視情報担持板３は本体横材７には取り付けられていない）。
【００３５】
前記可視情報担持板３の表面には、図１および１３に示されているように、注意を喚起すべき内容を示す文字、記号、絵、模様等の可視情報８が担持されている。なお、可視情報８は、可視情報担持板３に直接印刷したり、手書きしてもよいし、テープ等を貼付して形成してもよいし、別の紙、シート等に印刷したり、手書きした上、これらの紙、シート等を可視情報担持板３に貼付してもよい。
【００３６】
なお、上記記述において、「可視情報担持板３と実質的に平行な細長い面をなす」および「この中間部７ａの両端部から可視情報担持板３から離れる方向に実質的に直角に折り曲げられた」と記したのは、そもそも前記可視情報担持板３を完全な平面とすることは実際には不可能であるので、前記本体横材７の中間部７ａを可視情報担持板３に対し完全に平行な細長い面をなすようにすることも、本体横材７の被取付片部７ｂを中間部７ａの両端部から可視情報担持板３から離れる方向に完全に直角に折り曲げることも不可能であるし、実際上その必要もないからである。
【００３７】
図２，１４および１５に示されているように、前記左右の本体縦枠５の内側には、ストッパ具９が取り付けられている（このストッパ具９の全体の形状は、図１０および１１に最もよく示されている）。これらのストッパ具９は、それぞれ金属板材をコの字状に折り曲げてなり、可視情報担持板３とそれぞれ実質的に平行な面をなす前方片部９ａおよび後方片部９ｂと、これらの前方片部９ａおよび後方片部９ｂの間に位置し、前方片部９ａおよび後方片部９ｂに対し実質的に直角に折れ曲がっており、かつ本体２の左右の本体縦枠５の内側に隅肉溶接により取り付けられた被取付片部９ｃとを有している。図２，７，１０，１１および１５に示されているように、各ストッパ具９の後方片部９ｂには上下方向に延びる長孔からなる巻き掛け体挿通孔９ｄが明けられている。
【００３８】
前記脚体４は、図２，１３，および１４によく示されているように、本体縦枠５および本体上端横枠６より細い金属製の角パイプ材からなる左右の脚体縦材１０と、これらの脚体縦材１０の中間部間に渡された脚体縦材１０と同じ太さの金属製の角パイプ材からなる２本の脚体横材１１とを有してなる。この脚体４は、左右の脚体縦材１０の上端部を本体２の左右の本体縦枠５の上端寄りの部分に、横方向に延びる回動軸１２を中心として回動可能に支持されることにより、該回動軸１２を中心として本体２に回動可能に支持されている。なお、左右の脚体縦材１０は左右の本体縦枠５より内側に配置されている。また、図１５に示されているように、前記左右の脚体縦材１０の上端１０ａは該脚体縦材１０の長さ方向に対し斜めをなしている。
【００３９】
この自立可能立て看板１を保管したり、運搬するときは、本体２に対し脚体４を閉じた状態とする。このように本体２に対し脚体４が閉じられた状態においては、脚体４は、図２，６〜８に示されているように、該脚体４の左右の脚体縦材１０が本体２の左右の本体縦枠５の間かつ本体横材７の左右の被取付片部７ｂの間に収容された状態になる。
【００４０】
この自立可能立て看板１においては、このように本体２に対し脚体４を閉じたとき、脚体４が本体２の左右の本体縦枠５の内側に収容されるので、折り畳み時の看板１の厚さは本体２の厚み（左右の本体縦枠５および本体上端横枠の太さ）のみとなるため、折り畳み時の看板１の厚さを従来より大幅に薄くすることができる。
【００４１】
このため、トラック等の車両に積んで輸送する際、積み込める台数が大幅に多くなり、輸送費を大幅に低減することができる。
【００４２】
また、看板１を保管する際も、保管場所の占有面積を大幅に小さくすることができ、保管場所の確保が非常に容易となる。
【００４３】
また、脚体４を閉じた状態では看板１は上端から下端まで同じ厚さになるので、看板１を横に倒した状態で積み重ねる際、各看板１を全部同じ向きにして積み重ねても、安定に積み重ねることができる。したがって、積み重ね作業を迅速に行うことができるようになる。
【００４４】
さらに、脚体４を閉じた状態で電柱、電信柱等の被取付物にバンド、針金等のバンドや針金等の巻き掛け体を用いて縛り付ける場合、設置する歩道や車道側帯などに被取付物から張り出す部分を小さくすることができる。特に、可視情報担持板３に対し垂直な方向に関し本体２と脚体４とが重なっていないので、看板１を被取付物にきちんと密着して取り付けることが容易になり、これによっても張り出し部分を小さくすることができる。
【００４５】
なお、図８においては、脚体４の脚体縦材１０と本体横材７の被取付片部７ｂとの間に隙間が空いているので、同図のように脚体４が閉じられた状態から脚体４を再び開くのにほとんど力を必要がないように思われてしまうかも知れないが、これはあくまで図面上の表現であって、実際の製品では、適当な寸法誤差やゆがみがあるので、４箇所ある脚体４の脚体縦材１０と本体横材１１の被取付片部７ｂとの対向部には接触する部分が生じるため、同図のように脚体４が閉じられた状態になると、ある程度大きな力を掛けないと、脚体４を再び開くことができないようになり、意図しないときに脚体４が開いてしまわないようにすることができる。
【００４６】
また、従来の自立可能立て看板においては、脚体（支持脚３）を本体（表示パネル２）に対し開き方向に回動して行くと、斜めに切断されている脚体（支持脚３）の左右の脚体縦材（本体縦枠１８）の上端が本体（表示パネル２）の左右の本体縦枠（縦枠材１０）に当接することにより、脚体（支持脚３）が本体（表示パネル２）に対しそれ以上開き方向に回動できなくなり、脚体（支持脚３）が本体（表示パネル２）に対し最大に開かれた状態となるようになっていた。この立て看板１においては、本体２の幅と脚体４の幅が異なるので、そのような従来のような構成を取ることはできない。
【００４７】
この立て看板１においては、脚体４を本体２に対し開き方向に回動して行くと、図１５によく示されているように左右の脚体縦材１０の上端１０ａが左右のストッパ具９の前方片部９ａに当接されるとともに左右の脚体縦材１０の後方面１０ｂが左右のストッパ具９の後方片部９ｂの下端に当接することにより、脚体４が前記２に対しそれ以上開き方向に回動できなくなり、脚体４が本体２に対し最大開かれた状態となるようになっている（このとき、本体２と脚体４とは４５度をなすようになっている）。図１２〜１５は、このようにして脚体４が本体２に対し最大開かれた状態を示している。
【００４８】
このようにこの立て看板１においては、ストッパ具９を設けられていることにより、本体２に対し脚体４を閉じたとき、脚体４が本体２の左右の本体縦枠５の内側に収容される構成とし、なおかつ本体２に対する脚体４の回動角度を制限することができる。
【００４９】
また、この立て看板１においては、脚体４を本体２に対し開き方向に回動したときに、脚体縦材１０の上端１０ａがストッパ具９の前方辺部９ａに当接されるので、可視情報担持板３が脚体縦材１０の上端１０ａに押されて変形しないようにすることができる。
【００５０】
なお、強度を確保できる場合は、脚体４を本体２に対し開き方向に回動して行くと、左右の脚体縦材１０の上端１０ａが左右のストッパ具９の前方片部９ａに当接されるのみで、左右の脚体縦材１０の後方面１０ｂは左右のストッパ具９の後方片部９ｂの下端に当接されることなく、それ以上脚体４が回動できなくなるようにしてもよい。
【００５１】
しかし、本実施例のように、脚体４を本体２に対し開き方向に回動したときに、脚体４がストッパ具９の前方片部９ａおよび後方片部９ｂの両方に当接されて、それ以上脚体４の回動できなくなるようにすれば、本体２に対し脚体４をより強固に所定の開き状態に維持することができる。
【００５２】
さらに、この立て看板１では、本体２に対し脚体４が閉じられた状態において、バンド、針金等のバンドや針金等の巻き掛け体１３を用いて、電柱、電信柱等の被取付体１４に立て看板１を取り付ける際、ストッパ具９を利用して、非常に簡単かつ迅速に被取付体１４に当該自立可能立て看板１を取り付けることができる。
【００５３】
すなわち、図１６および１７のように、立て看板１の背面側を被取付体１４に当てるとともに左右のストッパ具９の巻き掛け体挿通孔９ｄに巻き掛け体１３を挿通して被取付体１４に巻き掛けることにより、非常に簡単かつ迅速に被取付体１４に当該自立可能立て看板１を取り付けることができる。
【００５４】
そして、このように被取付体１４に自立可能立て看板１を取り付ける際、時別途部品を必要とすることもない
また、本実施例においては、巻き掛け体挿通孔９ｄは上下方向に延びる長孔とされているので、巻き掛け体１３として針金のような線状なものも、横断面偏平なバンドのようなものも使用できる。
【００５５】
図１８は、本体２の下側の本体横材７と脚体４の下側の脚体横材１１との上にウェイト台１５を載せ、さらにこのウェイト台１５に水を収容した容器、鉄製、ゴム製等の錘からなるウェイト１６を載置した状態を示している。このようにこの自立可能立て看板１は、従来の自立可能立て看板と同様にウェイト台１５を介してウェイト１６を載置して、立て看板１が強風や衝撃に対抗できるようにすることができる。
【００５６】
なお、図面では明確に示されていないが、この図のウェイト台１５の場合、本体２側の先端部に爪状部を設けられていて、これらの爪状部が下側の本体横材７と可視情報担持板３との間に挿入された状態で、ウェイト台１５の本体２側の先端部が下側の本体横材７上に載置されるようになっている。
【産業上の利用可能性】
【００５７】
以上のように本発明による自立可能立て看板は、本体に対し脚体を開閉でき、自立させることも、バンドや針金等の巻き掛け体を使用して電柱、電信柱等に縛り付けることもできる自立可能立て看板として有用である。
【符号の説明】
【００５８】
１    自立可能立て看板
２    本体
３    可視情報担持板
４    脚体
５    本体縦枠
６    本体上端横枠
７    本体横材
７ａ  本体横材の中間部
７ｂ  本体横材の被取付片部
８    可視情報
９    ストッパ具
９ａ  前方片部
９ｂ  後方片部
９ｃ  被取付片部
９ｄ  巻き掛け体挿通孔
１０    脚体縦材
１０ａ  脚体縦材の上端
１０ｂ  脚体縦材の後方面
１１    脚体横材
１２    回動軸
１３    巻き掛け体
１４    被取付体
１５    ウェイト台
１６    ウェイト
【図１】
2020187289.tif 000003
【図２】
2020187289.tif 000004
【図３】
2020187289.tif 000005
【図４】
2020187289.tif 000006
【図５】
2020187289.tif 000007
【図６】
2020187289.tif 000008
【図７】
2020187289.tif 000009
【図８】
2020187289.tif 000010
【図９】
2020187289.tif 000011
【図１０】
2020187289.tif 000012
【図１１】
2020187289.tif 000013
【図１２】
2020187289.tif 000014
【図１３】
2020187289.tif 000015
【図１４】
2020187289.tif 000016
【図１５】
2020187289.tif 000017
【図１６】
2020187289.tif 000018
【図１７】
2020187289.tif 000019
【図１８】
2020187289.tif 000020